【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
１つまたは複数のプロセッサが、第１のレイヤと異なるマルチレイヤビットストリームのビデオデータの第２のレイヤの中のサンプルのロケーションおよび１つまたは複数のスケーリングされたオフセット値に基づいて、前記マルチレイヤビットストリームのビデオデータの前記第１のレイヤの中に含まれる参照ピクチャに関連付けられた参照サンプルのロケーションを決定することと、ここにおいて、前記１つまたは複数のスケーリングされたオフセット値は、前記第１のレイヤと前記第２のレイヤとの間のスケールの差分を示す、
前記１つまたは複数のプロセッサが、前記参照ピクチャ内に配置される前記参照サンプルのための調整されたロケーションを決定するために、前記参照サンプルの前記ロケーションを調整することと、
前記参照サンプルの前記ロケーションを調整した後に、前記１つまたは複数のプロセッサが、前記参照サンプルの前記調整されたロケーションに基づいて、前記第１のレイヤの中のビデオデータの参照ブロックのロケーションを決定することと、
前記１つまたは複数のプロセッサが、前記第１のレイヤの中の前記参照ブロックの参照データに関連して前記第２のレイヤの中のビデオデータの現在のブロックを復号することと、ここにおいて、前記参照データに関連して前記現在のブロックを復号することは、前記現在のブロックのための残差データを復号することと、前記残差データおよび前記参照ブロックの前記参照データの組合せに基づいて前記現在のブロックを再構成することとを備える、
を備える、方法。
【請求項２】
前記参照ブロックは、コーディングツリーユニット（ＣＴＵ）を備え、それにより前記参照ブロックの前記ロケーションを決定することが、前記ＣＴＵのロケーションを決定することを備える、請求項１に記載の方法。
【請求項３】
前記ＣＴＵの前記ロケーションを決定することは、前記ＣＴＵのラスタ走査アドレスを決定することを備える、請求項２に記載の方法。
【請求項４】
前記マルチレイヤビットストリームから前記１つまたは複数のスケーリングされたオフセット値を復号することをさらに備える、請求項１に記載の方法。
【請求項５】
前記参照サンプルの前記ロケーションを調整することは、前記１つまたは複数のスケーリングされたオフセット値に基づいて前記参照サンプルのロケーションをクリップすることを備える、請求項１に記載の方法。
【請求項６】
前記参照サンプルの前記ロケーションをクリップすることは、
前記参照サンプルの水平ロケーションが左の参照ピクチャ境界の左側に配置されるとき、前記水平ロケーションを前記左の参照ピクチャ境界のロケーションと取り換えることと、
前記参照サンプルの前記水平ロケーションが右の参照ピクチャ境界の右側に配置されるとき、前記水平ロケーションを前記右の参照ピクチャ境界のロケーションと取り換えることと、
前記参照サンプルの垂直ロケーションが上の参照ピクチャ境界の上方に配置されるとき、前記垂直ロケーションを前記上の参照ピクチャ境界のロケーションと取り換えることと、
前記参照サンプルの前記垂直ロケーションが下の参照ピクチャ境界の下方に配置されるとき、前記垂直ロケーションを前記下の参照ピクチャ境界のロケーションと取り換えることと
を備える、請求項５に記載の方法。
【請求項７】
前記第１のレイヤについてのオフセット遅延を示すデータを復号することをさらに備え、前記オフセット遅延は、前記マルチレイヤビットストリームの前記第２のレイヤを復号する前に復号されるべき前記第１のレイヤからのビデオデータの最低限の量を示し、
前記参照ブロックの前記ロケーションを決定することは、前記参照ブロックの前記決定されたロケーションに基づいて前記オフセット遅延を調整することを備える、請求項１に記載の方法。
【請求項８】
ビデオデータを符号化する方法であって、
１つまたは複数のプロセッサが、第１のレイヤと異なるマルチレイヤビットストリームのビデオデータの第２のレイヤの中のサンプルのロケーションおよび１つまたは複数のスケーリングされたオフセット値に基づいて、前記マルチレイヤビットストリームのビデオデータの前記第１のレイヤの中に含まれる参照ピクチャに関連付けられた参照サンプルのロケーションを決定することと、ここにおいて、前記１つまたは複数のスケーリングされたオフセット値は、前記第１のレイヤと前記第２のレイヤとの間のスケールの差分を示す、
前記１つまたは複数のプロセッサが、前記参照ピクチャ内に配置される前記参照サンプルのための調整されたロケーションを決定するために、前記参照サンプルの前記ロケーションを調整することと、
前記参照サンプルの前記ロケーションを調整した後に、前記１つまたは複数のプロセッサが、前記参照サンプルの前記調整されたロケーションに基づいて、前記第１のレイヤの中のビデオデータの参照ブロックのロケーションを決定することと、
１つまたは複数のプロセッサが、前記第１のレイヤの中の前記参照ブロックの参照データに関連して前記第２のレイヤの中のビデオデータの現在のブロックを符号化することと、ここにおいて、前記参照データに関連して前記現在のブロックを符号化することは、前前記現在のブロックと前記参照ブロックとの間の差分に基づいて、前記現在のブロックのための残差データを決定することと、符号化されたビットストリームの中の前記残差データを符号化することとを備える、
を備える、方法。
【請求項９】
前記参照ブロックは、コーディングツリーユニット（ＣＴＵ）を備え、それにより前記参照ブロックの前記ロケーションを決定することが、前記ＣＴＵのロケーションを決定することを備える、請求項８に記載の方法。
【請求項１０】
前記ＣＴＵの前記ロケーションを決定することは、前記ＣＴＵのラスタ走査アドレスを決定することを備える、請求項９に記載の方法。
【請求項１１】
前記マルチレイヤビットストリームの中で前記１つまたは複数のスケーリングされたオフセット値を符号化することをさらに備える、請求項８に記載の方法。
【請求項１２】
前記参照サンプルの前記ロケーションを調整することは、前記１つまたは複数のスケーリングされたオフセット値に基づいて前記参照サンプルのロケーションをクリップすることを備える、請求項８に記載の方法。
【請求項１３】
前記参照サンプルの前記ロケーションをクリップすることは、
前記参照サンプルの水平ロケーションが左の参照ピクチャ境界の左側に配置されるとき、前記水平ロケーションを前記左の参照ピクチャ境界のロケーションと取り換えることと、
前記参照サンプルの前記水平ロケーションが右の参照ピクチャ境界の右側に配置されるとき、前記水平ロケーションを前記右の参照ピクチャ境界のロケーションと取り換えることと、
前記参照サンプルの垂直ロケーションが上の参照ピクチャ境界の上方に配置されるとき、前記垂直ロケーションを前記上の参照ピクチャ境界のロケーションと取り換えることと、
前記参照サンプルの前記垂直ロケーションが下の参照ピクチャ境界の下方に配置されるとき、前記垂直ロケーションを前記下の参照ピクチャ境界のロケーションと取り換えることと
を備える、請求項１２に記載の方法。
【請求項１４】
前記第１のレイヤについてのオフセット遅延を示すデータを符号化することをさらに備え、前記オフセット遅延は、前記マルチレイヤビットストリームの前記第２のレイヤを符号化する前に符号化されるべき前記第１のレイヤからのビデオデータの最低限の量を示し、
前記参照ブロックの前記ロケーションを決定することは、前記参照ブロックの前記決定されたロケーションに基づいて前記オフセット遅延を調整することを備える、請求項８に記載の方法。
【請求項１５】
ビデオ復号を実行する装置であって、
ビデオデータを記憶するメモリと、
第１のレイヤと異なるマルチレイヤビットストリームのビデオデータの第２のレイヤの中のサンプルのロケーションおよび１つまたは複数のスケーリングされたオフセット値に基づいて前記マルチレイヤビットストリームのビデオデータの前記第１のレイヤの中に含まれる参照ピクチャに関連付けられた参照サンプルのロケーションを決定することと、ここにおいて、前記１つまたは複数のスケーリングされたオフセット値は、前記第１のレイヤと前記第２のレイヤとの間のスケールの差分を示す、
前記参照ピクチャ内に配置される前記参照サンプルのための調整されたロケーションを決定するために、前記参照サンプルの前記ロケーションを調整することと、
前記参照サンプルの前記ロケーションを調整した後に、前記参照サンプルの前記調整されたロケーションに基づいて前記第１のレイヤの中のビデオデータの参照ブロックのロケーションを決定することと、
前記第１のレイヤの中の前記参照ブロックの参照データに関連して前記第２のレイヤの中のビデオデータの現在のブロックを復号することと、ここにおいて、前記参照データに関連して前記現在のブロックを復号するために、ビデオデコーダは、前記現在のブロックのための残差データを復号することと、前記残差データおよび前記参照ブロックの前記参照データの組合せに基づいて前記現在のブロックを再構成することとを行うように構成される、
を行うように構成された前記ビデオデコーダと
を備える、装置。
【請求項１６】
前記参照ブロックは、コーディングツリーユニット（ＣＴＵ）を備え、それにより前記参照ブロックの前記ロケーションを決定するために、前記ビデオデコーダが、前記ＣＴＵのロケーションを決定するように構成される、請求項１５に記載の装置。
【請求項１７】
前記ＣＴＵの前記ロケーションを決定するために、前記ビデオデコーダは、前記ＣＴＵのラスタ走査アドレスを決定するように構成される、請求項１６に記載の装置。
【請求項１８】
前記ビデオデコーダは、前記マルチレイヤビットストリームの中で前記１つまたは複数のスケーリングされたオフセット値を復号するようにさらに構成される、請求項１５に記載の装置。
【請求項１９】
前記参照サンプルの前記ロケーションを調整するために、前記ビデオデコーダは、前記１つまたは複数のスケーリングされたオフセット値に基づいて前記参照サンプルのロケーションをクリップするように構成される、請求項１５に記載の装置。
【請求項２０】
前記参照サンプルの前記ロケーションをクリップするために、前記ビデオデコーダは、
前記参照サンプルの水平ロケーションが左の参照ピクチャ境界の左側に配置されるとき、前記水平ロケーションを前記左の参照ピクチャ境界のロケーションと取り換えることと、
前記参照サンプルの前記水平ロケーションが右の参照ピクチャ境界の右側に配置されるとき、前記水平ロケーションを前記右の参照ピクチャ境界のロケーションと取り換えることと、
前記参照サンプルの垂直ロケーションが上の参照ピクチャ境界の上方に配置されるとき、前記垂直ロケーションを前記上の参照ピクチャ境界のロケーションと取り換えることと、
前記参照サンプルの前記垂直ロケーションが下の参照ピクチャ境界の下方に配置されるとき、前記垂直ロケーションを前記下の参照ピクチャ境界のロケーションと取り換えることと
を行うように構成される、請求項１９に記載の装置。
【請求項２１】
前記ビデオデコーダは、
前記第１のレイヤについてのオフセット遅延を示すデータを復号するようにさらに構成され、前記オフセット遅延は、前記マルチレイヤビットストリームの前記第２のレイヤを復号する前に復号されるべき前記第１のレイヤからのビデオデータの最低限の量を示し、
前記参照ブロックの前記ロケーションを決定するために、前記１つまたは複数のプロセッサは、前記参照ブロックの前記決定されたロケーションに基づいて前記オフセット遅延を調整するように構成される、請求項１５に記載の装置。
【請求項２２】
前記ビデオデータを提示するように構成されたディスプレイデバイスをさらに備える、請求項１５に記載の装置。
【請求項２３】
前記ビデオデータを受信するように構成されたワイヤレスモデムをさらに備える、請求項１５に記載の装置。
【請求項２４】
ビデオ復号を実行する装置であって、
第１のレイヤと異なるマルチレイヤビットストリームのビデオデータの第２のレイヤの中のサンプルのロケーションおよび１つまたは複数のスケーリングされたオフセット値に基づいて、前記マルチレイヤビットストリームのビデオデータの前記第１のレイヤの中に含まれる参照ピクチャに関連付けられた参照サンプルのロケーションを決定するための手段と、ここにおいて、前記１つまたは複数のスケーリングされたオフセット値は、前記第１のレイヤと前記第２のレイヤとの間のスケールの差分を示す、
前記参照ピクチャ内に配置される前記参照サンプルのための調整されたロケーションを決定するために、前記参照サンプルの前記ロケーションを調整するための手段と、
前記参照サンプルの前記ロケーションを調整した後に、前記参照サンプルの前記調整されたロケーションに基づいて、前記第１のレイヤの中のビデオデータの参照ブロックのロケーションを決定するための手段と、
前記第１のレイヤの中の前記参照ブロックの参照データに関連して前記第２のレイヤの中のビデオデータの現在のブロックを復号するための手段と、ここにおいて、前記参照データに関連して前記現在のブロックを復号するための前記手段は、前記現在のブロックのための残差データを復号するための手段と、前記残差データおよび前記参照ブロックの前記参照データの組合せに基づいて前記現在のブロックを再構成するための手段とを備える、
を備える、装置。
【請求項２５】
前記参照ブロックは、コーディングツリーユニット（ＣＴＵ）を備え、それにより前記参照ブロックの前記ロケーションを決定するための前記手段が、前記ＣＴＵのロケーションを決定するための手段を備える、請求項２４に記載の装置。
【請求項２６】
前記ＣＴＵの前記ロケーションを決定するための前記手段は、前記ＣＴＵのラスタ走査アドレスを決定するための手段を備える、請求項２５に記載の装置。
【請求項２７】
前記マルチレイヤビットストリームの中で前記１つまたは複数のスケーリングされたオフセット値を復号するための手段をさらに備える、請求項２４に記載の装置。
【請求項２８】
前記参照サンプルの前記ロケーションを調整するための前記手段は、前記１つまたは複数のスケーリングされたオフセット値に基づいて前記参照サンプルのロケーションをクリップするための手段を備える、請求項２４に記載の装置。
【請求項２９】
前記参照サンプルの前記ロケーションをクリップするための前記手段は、
前記参照サンプルの水平ロケーションが左の参照ピクチャ境界の左側に配置されるとき、前記水平ロケーションを前記左の参照ピクチャ境界のロケーションと取り換えるための手段と、
前記参照サンプルの前記水平ロケーションが右の参照ピクチャ境界の右側に配置されるとき、前記水平ロケーションを前記右の参照ピクチャ境界のロケーションと取り換えるための手段と、
前記参照サンプルの垂直ロケーションが上の参照ピクチャ境界の上方に配置されるとき、前記垂直ロケーションを前記上の参照ピクチャ境界のロケーションと取り換えるための手段と、
前記参照サンプルの前記垂直ロケーションが下の参照ピクチャ境界の下方に配置されるとき、前記垂直ロケーションを前記下の参照ピクチャ境界のロケーションと取り換えるための手段と
を備える、請求項２８に記載の装置。
【請求項３０】
前記第１のレイヤについてのオフセット遅延を示すデータを復号するための手段をさらに備え、前記オフセット遅延は、前記マルチレイヤビットストリームの前記第２のレイヤを復号する前に復号されるべき前記第１のレイヤからのビデオデータの最低限の量を示し、
前記参照ブロックの前記ロケーションを決定するための前記手段は、前記参照ブロックの前記決定されたロケーションに基づいて前記オフセット遅延を調整するための手段を備える、請求項２４に記載の装置。
【請求項３１】
命令を記憶する非一時的コンピュータ可読媒体であって、前記命令が、実行されたとき、ビデオデコーダに、
第１のレイヤと異なるマルチレイヤビットストリームのビデオデータの第２のレイヤの中のサンプルのロケーションおよび１つまたは複数のスケーリングされたオフセット値に基づいて前記マルチレイヤビットストリームのビデオデータの前記第１のレイヤの中に含まれる参照ピクチャに関連付けられた参照サンプルのロケーションを決定することと、ここにおいて、前記１つまたは複数のスケーリングされたオフセット値は、前記第１のレイヤと前記第２のレイヤとの間のスケールの差分を示す、
前記参照ピクチャ内に配置される前記参照サンプルのための調整されたロケーションを決定するために、前記参照サンプルの前記ロケーションを調整することと、
前記参照サンプルの前記ロケーションを調整した後に、前記参照サンプルの前記調整されたロケーションに基づいて前記第１のレイヤの中のビデオデータの参照ブロックのロケーションを決定することと、
前記第１のレイヤの中の前記参照ブロックの参照データに関連して前記第２のレイヤの中のビデオデータの現在のブロックを復号することと、ここにおいて、前記参照データに関連して前記現在のブロックを復号するために、前記命令が、前記ビデオデコーダに、前記現在のブロックのための残差データを復号することと、前記残差データおよび前記参照ブロックの前記参照データの組合せに基づいて前記現在のブロックを再構成することとを行わせる、
を行わせる、非一時的コンピュータ可読媒体。
【請求項３２】
前記参照ブロックは、コーディングツリーユニット（ＣＴＵ）を備え、それにより前記参照ブロックの前記ロケーションを決定するために、前記命令が、前記ビデオデコーダに、前記ＣＴＵのロケーションを決定させる、請求項３１に記載の非一時的コンピュータ可読媒体。
【請求項３３】
前記ＣＴＵの前記ロケーションを決定するために、前記命令は、前記ビデオデコーダに、前記ＣＴＵのラスタ走査アドレスを決定させる、請求項３２に記載の非一時的コンピュータ可読媒体。
【請求項３４】
前記命令は、前記ビデオデコーダに、前記１つまたは複数のスケーリングされたオフセット値を、前記マルチレイヤビットストリームの中で復号させる、請求項３１に記載の非一時的コンピュータ可読媒体。
【請求項３５】
前記参照サンプルの前記ロケーションを調整するために、前記命令は、前記ビデオデコーダに、前記１つまたは複数のスケーリングされたオフセット値に基づいて前記参照サンプルのロケーションをクリップさせる、請求項３１に記載の非一時的コンピュータ可読媒体。
【請求項３６】
前記参照サンプルの前記ロケーションをクリップするために、前記命令は、前記ビデオデコーダに、
前記参照サンプルの水平ロケーションが左の参照ピクチャ境界の左側に配置されるとき、前記水平ロケーションを前記左の参照ピクチャ境界のロケーションと取り換えることと、
前記参照サンプルの前記水平ロケーションが右の参照ピクチャ境界の右側に配置されるとき、前記水平ロケーションを前記右の参照ピクチャ境界のロケーションと取り換えることと、
前記参照サンプルの垂直ロケーションが上の参照ピクチャ境界の上方に配置されるとき、前記垂直ロケーションを前記上の参照ピクチャ境界のロケーションと取り換えることと、
前記参照サンプルの前記垂直ロケーションが下の参照ピクチャ境界の下方に配置されるとき、前記垂直ロケーションを前記下の参照ピクチャ境界のロケーションと取り換えることと
を行わせる、請求項３５に記載の非一時的コンピュータ可読媒体。
【請求項３７】
前記命令がさらに、前記ビデオデコーダに、
前記第１のレイヤについてのオフセット遅延を示すデータを復号させ、前記オフセット遅延は、前記マルチレイヤビットストリームの前記第２のレイヤを復号する前に復号されるべき前記第１のレイヤからのビデオデータの最低限の量を示し、
前記参照ブロックの前記ロケーションを決定するために、前記命令は、前記１つまたは複数のプロセッサに、前記参照ブロックの前記決定されたロケーションに基づいて前記オフセット遅延を調整することを行わせる、請求項３１に記載の非一時的コンピュータ可読媒体。